【手続補正書】
【提出日】平成15年10月17日(2003.10.17)
【手続補正１】
【補正対象書類名】明細書
【補正対象項目名】発明の名称
【補正方法】変更
【補正の内容】
【発明の名称】無線通信システムおよび無線通信装置、無線通信方法
【手続補正２】
【補正対象書類名】明細書
【補正対象項目名】特許請求の範囲
【補正方法】変更
【補正の内容】
【特許請求の範囲】
【請求項１】
システムに固有なシステム識別情報に基づいて、通信する無線通信システムにおいて、
上記無線通信システム内の一部の通信装置によって形成されるグループのグループ通信を要求する要求手段と；
上記要求に応答して、上記グループを管理するグループ識別情報を割り当てる割当手段と；
上記割当手段が割り当てた上記グループ識別情報に基づいて、上記グループのグループ通信を行う通信手段と；
を有し、上記割当手段は、上記グループを形成する際に、上記グループ識別情報を割り当てることを特徴とする無線通信システム。
【請求項２】
複数の通信装置を有する通信システムに割り当てられたシステム識別情報に基づいて、通信する無線通信装置において、
上記通信システム内の一部の通信装置によって形成されるグループのグループ通信を要求する要求手段と；
上記要求に応答して割り当てられた上記グループを管理するグループ識別情報を記憶する記憶手段と；
上記記憶手段により記憶した上記グループ識別情報に基づいて、上記グループのグループ通信を行う通信手段と；
を有し、上記グループ識別情報は、上記グループを形成する際に、割り当てられることを特徴とする無線通信装置。
【請求項３】
請求項２において、
上記通信手段は、上記グループ識別情報に基づいて、グループ内同報を行うことを特徴とする無線通信装置。
【請求項４】
請求項２において、
上記グループ識別情報は、上記通信システムの制御装置によって割り当てられることを特徴とする無線通信装置。
【請求項５】
請求項２において、
上記グループ識別情報は、上記グループ通信が終了すると、解放されることを特徴とする無線通信装置。
【請求項６】
請求項２において、
上記通信手段は、上記グループ識別情報を通信データに付加して上記グループ通信を行うことを特徴とする無線通信装置。
【請求項７】
請求項２において、
上記通信装置は、周波数ホッピング通信を行うことを特徴とする無線通信装置。
【請求項８】
複数の通信装置を有する通信システムに割り当てられたシステム識別情報に基づいて、通信する無線通信装置において、
上記通信システム内の一部の通信装置によって形成されるグループのグループ通信の要求を判別する判別手段と；
上記判別手段による判別に応じて、上記グループを管理するグループ識別情報を割り当てる割当手段と；
上記割当手段によって割り当てた上記グループ識別情報に基づいて、上記グループのグループ通信を行う通信手段と；
を有し、上記割当手段は、上記グループを形成する際に、上記グループ識別情報を割り当てることを特徴とする無線通信装置。
【請求項９】
請求項８において、
上記通信装置は、上記グループ通信が終了すると、上記グループ識別情報を解放することを特徴とする無線通信装置。
【請求項１０】
請求項８において、
上記グループ通信に参加するかどうかを、他の通信装置に問い合わせる問合手段を有し、上記割当手段は、上記問合手段による問合せの応答に基づいて、上記グループ識別情報を割り当てることを特徴とする無線通信装置。
【請求項１１】
無線通信装置において、
システム内の一部の通信装置によるグループが形成される毎に割り当てられる上記グループを管理するグループ識別情報を記憶する記憶手段と；
上記記憶手段により記憶した上記グループ識別情報に基づいて、上記グループのグループ通信を行う通信手段と；
を有することを特徴とする無線通信装置。
【請求項１２】
無線通信装置において、
システム内の一部の通信装置がグループを形成する毎に、上記グループを管理するグループ識別情報を割り当てる割当手段と；
上記割当手段が割り当てた上記グループ識別情報に基づいて、上記グループのグループ通信を行う通信手段と；
を有することを特徴とする無線通信装置。
【請求項１３】
システムに固有なシステム識別情報に基づいて、
通信を行う無線通信システムの無線通信方法において、
上記無線通信システム内の一部の通信装置によって形成されているグループのグループ通信を要求する要求工程と；
上記要求に応答して、上記グループを管理するグループ識別情報を割り当てる割当工程と；
上記割当工程で割り当てられた上記グループ識別情報に基づいて、上記グループのグループ通信を行う通信工程と；
を有し、上記割当工程は、上記グループを形成する際に、上記グループ識別情報を割り当てることを特徴とする無線通信方法。
【請求項１４】
複数の通信装置を有する通信システムに割り当てられたシステム識別情報に基づいて、通信する無線通信方法において、
上記システム内の一部の通信装置によって形成されているグループのグループ通信を要求するための要求工程と；
上記要求に応答して割り当てられた上記グループを管理するグループ識別情報を記憶するための記憶工程と；
上記記憶工程において記憶された上記グループ識別情報に基づいて、上記グループのグループ通信を行うための通信工程と；
を有し、上記グループ識別情報は、上記グループを形成する際に、割り当てられることを特徴とする無線通信方法。
【請求項１５】
複数の通信装置を有する通信システムに割り当てられたシステム識別情報に基づいて通信する無線通信方法において、
上記システム内の一部の通信装置によって形成されているグループのグループ通信の要求を判別するための判別工程と；
上記判別工程による判別に応じて、上記グループを管理するグループ識別情報を割り当てるための割当工程と；
上記割当工程において割り当てられた上記グループ識別情報に基づいて、上記グループのグループ通信を行うための通信工程と；
を有し、上記割当工程は、上記グループを形成する際に、上記グループ識別情報を割り当てることを特徴とする無線通信方法。
【請求項１６】
無線通信方法において、
システム内の一部の通信装置によってグループが形成される毎に割り当てられる、上記グループを管理するグループ識別情報を記憶するための記憶工程と；
上記記憶工程において記憶された上記グループ識別情報に基づいて、上記グループのグループ通信を行う通信手段と；
を有することを特徴とする無線通信方法。
【請求項１７】
無線通信方法において、
システム内の一部の通信装置によるグループを形成する毎に、上記グループを管理するグループ識別情報を割り当てるための割当工程と；
上記割当工程において割り当てられた上記グループ識別情報に基づいて、上記グループのグループ通信を行うための通信工程と；
を有することを特徴とする無線通信方法。
【手続補正３】
【補正対象書類名】明細書
【補正対象項目名】０００１
【補正方法】変更
【補正の内容】
【０００１】
【発明の属する技術分野】
本発明は、複数の無線装置の間でデータ通信を行う無線通信システムおよび無線通信装置、無線通信方法に関し、特に無線通信システムを構成する無線装置のうちの任意の複数台がサブグループを構成して、ネットワーク会議システムや対戦ゲーム等のようにサブグループ内で通信を行うための技術に関する。


【手続補正４】
【補正対象書類名】明細書
【補正対象項目名】０００７
【補正方法】変更
【補正の内容】
【０００７】
本発明は、上記課題を解決するためになされたもので無線通信システムを構成する任意の複数台の無線装置に動的にグループ識別情報を付与できるとともに、このグループ識別情報を用いて新しいサブグループを構成し、このサブグループ内での通信を可能とすることを目的とする。


【手続補正５】
【補正対象書類名】明細書
【補正対象項目名】０００８
【補正方法】変更
【補正の内容】
【０００８】
【課題を解決するための手段】
本発明は、システムに固有なシステム識別情報に基づいて、通信する無線通信システムにおいて、上記無線通信システム内の一部の通信装置によって形成されるグループのグループ通信を要求する要求手段と、上記要求に応答して、上記グループを管理するグループ識別情報を割り当てる割当手段と、上記割当手段が割り当てた上記グループ識別情報に基づいて、上記グループのグループ通信を行う通信手段とを有し、上記割当手段は、上記グループを形成する際に、上記グループ識別情報を割り当てることを特徴とする無線通信システムおよびその無線通信方法である。
【手続補正６】
【補正対象書類名】明細書
【補正対象項目名】０００９
【補正方法】変更
【補正の内容】
【０００９】
また、本発明は、複数の通信装置を有する通信システムに割り当てられたシステム識別情報に基づいて、通信する無線通信装置において、上記通信システム内の一部の通信装置によって形成されるグループのグループ通信を要求する要求手段と、上記要求に応答して割り当てられた上記グループを管理するグループ識別情報を記憶する記憶手段と、上記記憶手段により記憶した上記グループ識別情報に基づいて、上記グループのグループ通信を行う通信手段とを有し、上記グループ識別情報は、上記グループを形成する際に、割り当てられることを特徴とする無線通信装置およびその無線通信方法である。
【手続補正７】
【補正対象書類名】明細書
【補正対象項目名】００１０
【補正方法】変更
【補正の内容】
【００１０】
さらに、本発明は、複数の通信装置を有する通信システムに割り当てられたシステム識別情報に基づいて、通信する無線通信装置において、上記通信システム内の一部の通信装置によって形成されるグループのグループ通信の要求を判別する判別手段と、上記判別手段による判別に応じて、上記グループを管理するグループ識別情報を割り当てる割当手段と、上記割当手段によって割り当てた上記グループ識別情報に基づいて、上記グループのグループ通信を行う通信手段とを有し、上記割当手段は、上記グループを形成する際に、上記グループ識別情報を割り当てることを特徴とする無線通信装置およびその無線通信方法である。
そして、本発明は、無線通信装置において、システム内の一部の通信装置によるグループが形成される毎に割り当てられる上記グループを管理するグループ識別情報を記憶する記憶手段と、上記記憶手段により記憶した上記グループ識別情報に基づいて、上記グループのグループ通信を行う通信手段とを有することを特徴とする無線通信装置およびその無線通信方法である。
また、本発明は、無線通信装置において、システム内の一部の通信装置がグループを形成する毎に、上記グループを管理するグループ識別情報を割り当てる割当手段と、上記割当手段が割り当てた上記グループ識別情報に基づいて、上記グループのグループ通信を行う通信手段とを有することを特徴とする無線通信装置およびその無線通信方法である。
【手続補正８】
【補正対象書類名】明細書
【補正対象項目名】００４６
【補正方法】変更
【補正の内容】
【００４６】
【発明の効果】
本発明によれば、無線通信システムを構成する無線装置のうちの任意の複数台の無線装置にグループ識別番号を付与することによって、サブグループを動的に構成することが可能となる。したがって、任意の複数台の無線装置から構成されたサブグループを用いてネットワーク会議システムやゲームセンターにおける対戦ゲーム等を実現することが可能となる。